(57)【要約】      （修正有）【課題】ある管楽器の頭部管や歌口を別の管楽器本体に使用して、違う音色の楽器演奏を提供する。【解決手段】管楽器本体と頭部管から成る管楽器において、管楽器本体又は頭部管が着脱交換式として組み合わせ式にしたものである。管楽器本体の勘合部の直径と、頭部管の勘合部の直径のはめあい寸法が、すきまばめ又はとまりばめ、かつ歌口からの息圧により移動しない構成とする。【選択図】図１
2006053505.tif 000002
【特許請求の範囲】
【請求項１】
管楽器本体１と頭部管２から成る管楽器において、管楽器本体１又は頭部管２を着脱交換式とした組み合わせ式管楽器。
【請求項２】
管楽器本体１と頭部管２から成る管楽器において、管楽器本体１の勘合部８の直径と、頭部管２の勘合部９の直径のはめあい寸法がすきまばめ又はとまりばめとし、管楽器本体１または頭部管２を着脱交換式とした請求項１に記載した組み合わせ式管楽器。
【発明の詳細な説明】
【技術分野】
【０００１】  本発明は、管楽器本体（音孔の付いた下部管又は中部管と足部管）と頭部管から成る管楽器において、管楽器本体又は頭部管が着脱交換式とした組み合わせ式管楽器に関する。
【背景技術】
【０００２】  従来の管楽器においては、例を挙げて説明すると、リコーダーならリコーダーとして、ケーナはケーナとして、及び横笛は横笛として独立して使用されていた。そのためリコーダーを所有していても、ケーナは別に購入しなければならなかった。不便さと費用も高くついていた。またリコーダーとケーナ、更に横笛などを共用して使用することができなかった。
【発明の開示】
本発明は、管楽器本体と頭部管から成る管楽器において、管楽器本体又は頭部管が着脱交換式とした組み合わせ式管楽器を開示する。
【発明が解決しようとする課題】
【０００３】  従来の管楽器においては、例を挙げて説明すると、リコーダーならリコーダーとして、ケーナはケーナとして、及び横笛は横笛として独立して使用されていた。そのためリコーダーを所有していても、ケーナは別に購入しなければならず、不便で費用も高くついていた。またリコーダーとケーナ、更に横笛を共用して使用することができない不便さがあった。すなわち、同じ管楽器本体を使用し、同じ運指で別の楽器または別の音色を演奏することができなかった。あるいは同じ頭部管や歌口を使用して別の管楽器本体を使用して、違う音色の楽器を演奏することもできない問題点があった。
【０００４】  そこで、本発明は、管楽器本体と頭部管から成る管楽器において、管楽器本体又は頭部管が着脱交換式にできるようにした組み合わせ式管楽器を提供できるようにすることを課題とする。
【課題を解決するための手段】
【０００５】  上記目的を達成するために、管楽器本体と頭部管から成る管楽器において、管楽器本体又は頭部管が着脱交換式とした組み合わせ式にしたものである。
【０００６】  上記の組み合わせ式とするために、管楽器本体と頭部管から成る管楽器において、管楽器本体の勘合部の直径と、頭部管の勘合部の直径のはめあい寸法が、すきまばめ又はとまりばめ、かつ歌口からの息圧により移動しない構成とする。
【０００７】  また、管楽器本体の勘合部が凸の場合は、頭部管の勘合部９が凹、又は管楽器本体の勘合部が凹の場合は、頭部管の勘合部が凸、又は双方が凸あるいは凹の構成とするとよい。
【０００８】  また、管楽器本体が共通な場合は頭部管を交換可能とし、あるいは頭部管が共通で管楽器本体を交換可能としてもよい。
【０００９】  そして、管楽器本体の勘合部と頭部管の勘合部において、はめあいがとまりばめとし、歌口からの息圧により移動しない構成とするためや着脱時の磨耗を考慮して、この勘合部にさらにブッシュを追加して備えることが好ましい。この場合、円錐テーパ形状くさびを形成したブッシュを備えると、チューニング後の勘合部双方の圧着が促進される。
【発明の効果】
【０００１０】  本発明は、以上説明したように構成されているので、以下に記載されるような効果を奏する。
【０００１１】  同じ管楽器本体を使用し、同じ運指で別の楽器または別の音色を演奏することができるようになった。あるいは同じ頭部管や歌口を使用して別の管楽器本体を使用して、違う音色あるいは別の調子の楽器を演奏することができるようになった。
【０００１２】  具体的には、管楽器の一種であるリコーダーの本体（音孔の付いた中部管や足部管）を使用し、頭部管としてリコーダーと共にケーナまたは横笛なども演奏することができる。あるいは同じリコーダーの頭部管や歌口を使用して別の管楽器本体を使用して、違う音色あるいは別の調子の楽器を演奏することができるようになった。例えば、同じ横笛の頭部管を使用して、別の調子の本体（音孔の付いたもの）と取り替えることによって、別の調子の笛として使用できる効果もある。
【発明を実施するための最良の形態】
【０００１３】    本発明の実施形態について図面を参照して説明する。図１では、管楽器本体１と頭部管２から成る管楽器において、管楽器本体１又は頭部管２が着脱交換式とした組み合わせ式管楽器を示す。例えば、管楽器の一種であるリコーダーの本体（音孔の付いた中部管や足部管）１を共用し、頭部管として、リコーダー２と共に横笛３またはケーナ４などを必要に応じ交換して演奏することができる。
【実施例１】
【０００１４】  図１では、管楽器本体１と頭部管２から成る管楽器において、管楽器本体１の勘合部８の直径と、頭部管２の勘合部９の直径のはめあいがすきまばめ又はとまりばめ、かつ歌口からの息圧により移動しない構成とし、管楽器本体１または頭部管２を着脱交換式とした組み合わせ式管楽器を示す。
【実施例２】
【０００１５】  図１では、管楽器本体１の勘合部８が凸の場合は、頭部管２の勘合部９が凹の例を示している。又は管楽器本体１の勘合部８が凹の場合は、頭部管２の勘合部９が凸、又は双方が凸あるいは凹の構成とした組み合わせ式管楽器も実施できる。
図１においては、管楽器の一種であるリコーダーの本体（音孔の付いた中部管や足部管）１が共通で、リコーダー用頭部管２が、歌口（５，６，７）が異なる横笛用頭部管３やケーナ用頭部管４など（その他、サックス、クラリネット、オーボエ、尺八などの管楽器類）と交換可能とした組み合わせ式管楽器も実施できる。または、頭部管２が共通で、管楽器本体１（音孔の付いた下部管又は中部管と足部管）を着脱交換することも実施できる。
【実施例３】
【０００１６】  図２、図３において、管楽器本体１または頭部管２の勘合部にブッシュ１３を付加しても良い。摩耗や傷つき防止として使用する。このブッシュにくさびの働きをする円錐テーパ状とすると、軸方向の押し込み力によって、自動的に勘合部が演奏に支障ない程度に、適切な位置に固定できる効果が生じる。ケーナとして使用した場合、顎圧や強い息圧でもずれることもない。なお、他の例として、円錐テーパ状の向きをこの図例と逆向きに形成して双方を圧着出来るように構成しても良い。
【実施例４】
【０００１７】  図４、図５は、図２、図３の別の実施例である。くさびの働きをする円錐テーパブッシュ１７は、両側に形成されており、ねじ１６によって双方の勘合部を固定化できる。なお、図６、７は、図２、３に使用される円錐くさびブッシュで、バネ性を持たすために、スリ割りを付加形成した例である。図８、９は、図４、５に使用される円錐くさびブッシュで、バネ性を持たすために、スリ割りを付加形成した例である。
【実施例５】
【０００１８】  次に種々の実施例が考えられ、本発明と同様の作用効果があれば実施できる。図１０−１８は、図２，図４の別の実施例を示したものである。図１０は、図２のピン１４の替わりに、１９のつばを付加している。このつば１９は、図１１のように分離しても良い。図１１は、円錐テーパくさびブッシュ１３が分割されており、外周と内周が円筒になったものである。図１２は、円錐テーパくさびブッシュ１３の替わりに円形リングを使用した例である。図１３は、円錐テーパくさびブッシュ１３を軸側に構成した例である。図１４は、ねじで軸方向に直角に押す例である。傷つき防止にブッシュを両側などに付加すると良い。図１４の中で、バンド状リングによって双方間のすきまに圧力をかけて（ばね圧やねじ締めなどによる）、双方の位置を把持することも考えられる。図１５は、ロッキングピースを円周に数カ所設置し、リング状ばねまたはひもで結ぶこともできる。図１６は、図４の別の実施例である。図１７は、外周を円形状にしてバネ性を持たせた例である。図１８は、ブッシュ１３にさらにリング状ばねを付加した例である。以上説明した構成において、可逆可能な部品においては説明を省略するが、、以上説明した実施例の逆の構成も可能であり、その実施例も採用できる。例えば軸側に構成されているものは穴側へ、同様に右側のものは左側へなどである。その他、同様な作用効果のある種々の実施が考えられ、本発明の範疇に入る。
【産業上の利用可能性】
【０００１９】  本発明は、管楽器業界に利用応用が大いに望まれる。そのなかでも、小中学校でリコーダーに取り組む人に対して、同時にケーナや横笛なども演奏出来る大きなメリットがあり、比較的安い費用で管楽器利用者に楽しみの倍増を提供できる。また、楽器から遠ざかっている大人の方に対しても、リコーダーの本体を利用して、小中学校で練習したリコーダーと同じ運指でケーナ、サックスや横笛などの演奏を可能にできる。管楽器の利用が大いに増加できる効果がある。次に組み合わせが出来ることで、管楽器製作において管楽器部品の標準化が可能になり、共用化も推進され、生産性や品質の向上とコストダウンにも寄与できる。
【図面の簡単な説明】
【０００２０】
【図１】  本発明の組み合わせ式管楽器の概略図。
2006053505.tif 000003
【符合の説明】
【０００２１】１：管楽器本体（音孔の付いた下部管又は中部管と足部管）、
２，３，４，１２，１５：頭部管
５，６，７：歌口
８，９，１０，１１：勘合部直径
１３：ブッシュ、１３（２／２）：チューニングのための位置調整用ゲージ、１４：ピン、１６：ナット、１７：ブッシュ、１８：スリ割り、１９：つば、２０：リング状ばね、２１：ねじ、２２：ロッキングピース、２３：バンド状リング
【図１】
2006053505.tif 000004
【図２】
2006053505.tif 000005
【図３】
2006053505.tif 000006
【図４】
2006053505.tif 000007
【図５】
2006053505.tif 000008
【図６】
2006053505.tif 000009
【図８】
2006053505.tif 000010
【図１０】
2006053505.tif 000011
【図１１】
2006053505.tif 000012
【図１２】
2006053505.tif 000013
【図１３】
2006053505.tif 000014
【図１４】
2006053505.tif 000015
【図１５】
2006053505.tif 000016
【図１６】
2006053505.tif 000017
【図１７】
2006053505.tif 000018
【図１８】
2006053505.tif 000019
【手続補正書】
【提出日】平成16年11月11日(2004.11.11)
【手続補正１】
【補正対象書類名】図面
【補正対象項目名】全図
【補正方法】変更
【補正の内容】
【図１】
2006053505.tif 000020
【図２】
2006053505.tif 000021
【図３】
2006053505.tif 000022
【図４】
2006053505.tif 000023
【図５】
2006053505.tif 000024
【図６】
2006053505.tif 000025
【図７】
2006053505.tif 000026
【図８】
2006053505.tif 000027
【図９】
2006053505.tif 000028
【図１０】
2006053505.tif 000029
【図１１】
2006053505.tif 000030
【図１２】
2006053505.tif 000031
【図１３】
2006053505.tif 000032
【図１４】
2006053505.tif 000033
【図１５】
2006053505.tif 000034
【図１６】
2006053505.tif 000035
【図１７】
2006053505.tif 000036
【図１８】
2006053505.tif 000037